(57)【特許請求の範囲】
【請求項１】
受け部と、
前記受け部に設けられる鏡枠部と、
前記受け部に設けられる軟性鼻マスク部と、
前記軟性鼻マスク部の裏側に設けられる少なくとも１つの逆止弁装置と、を備え、
前記逆止弁装置は、
前記軟性鼻マスク部に一体的に連結され、前記軟性鼻マスク部の裏側から内方へ延在し、且つ少なくとも１つの排水孔が設けられている軟性本体と、
前記軟性本体に連結され、且つ前記少なくとも１つの排水孔を移動可能に覆うための少なくとも１つの弁シートと、を備え、
ここで、前記少なくとも１つの弁シートは、前記軟性本体に連結される複数の連結柱と、前記連結柱の片端に設けられ、前記軟性本体の外側に位置し、且つ前記少なくとも１つの排水孔を移動可能に覆うための可動シートとを備えるゴーグルマスク。
【請求項２】
前記軟性鼻マスク部および前記軟性本体の硬さはそれぞれ１５〜９５ＨＳである請求項１に記載のゴーグルマスク。
【請求項３】
前記軟性本体の材料は熱可塑性ゴム、熱可塑性ポリウレタン、熱可塑性エラストマー、ポリ塩化ビニル、シリコン、ゴム又はそれらの組合せである請求項１に記載のゴーグルマスク。
【請求項４】
前記受け部と前記軟性鼻マスク部は一体的に連結されている請求項１に記載のゴーグルマスク。
【請求項５】
前記軟性本体の断面形状は非円形で、前記軟性鼻マスク部の断面形状に対応する請求項１に記載のゴーグルマスク。
【請求項６】
前記軟性本体にただ１つの前記排水孔が設けられている請求項１に記載のゴーグルマスク。
【請求項７】
受け部と、
前記受け部に設けられる鏡枠部と、
前記受け部に設けられる軟性鼻マスク部と、
前記軟性鼻マスク部の裏側に設けられる少なくとも１つの逆止弁装置と、を備え、
前記逆止弁装置は、
前記軟性鼻マスク部に一体的に連結され、前記軟性鼻マスク部の裏側から内方へ延在し、且つ少なくとも１つの排水孔が設けられている軟性本体と、
前記軟性本体に被覆され、且つ前記軟性本体よりも硬く、前記軟性本体の少なくとも１つの排水孔を取り囲んでいる構造補強材と、
前記構造補強材に連結され、且つ前記少なくとも１つの排水孔を移動可能に覆う少なくとも１つの弁シートと、を備え、
ここで、前記少なくとも１つの弁シートは、前記構造補強材に連結される複数の連結柱と、前記連結柱の片端に設けられ、前記軟性本体の外側に位置し、且つ前記少なくとも１つの排水孔を移動可能に覆うための可動シートとを備えるゴーグルマスク。
【請求項８】
前記構造補強材と前記受け部との間の最小距離が１１ｍｍ〜２５ｍｍである請求項７に記載のゴーグルマスク。
【請求項９】
前記軟性本体の断面形状は非円形で、前記軟性鼻マスク部の断面形状に対応する請求項７に記載のゴーグルマスク。
【請求項１０】
前記軟性本体の材料は熱可塑性ゴム、熱可塑性ポリウレタン、熱可塑性エラストマー、ポリ塩化ビニル、シリコン、ゴム又はそれらの組合せである請求項７に記載のゴーグルマスク。
【請求項１１】
前記構造補強材の材料はポリカーボネート、アクリロニトリルブタジエンスチレン又はそれらの組合せである請求項７に記載のゴーグルマスク。
【請求項１２】
前記構造補強材の硬さはそれぞれ４０〜１００ＨＳである請求項７に記載のゴーグルマスク。
【請求項１３】
前記軟性本体にただ１つの前記排水孔が設けられている請求項７に記載のゴーグルマスク。
【請求項１４】
金型のキャビティに構造補強材を位置決めることと、
前記構造補強材を被覆するように、前記キャビティに軟性本体の原料を注入し、前記原料を固化させた後、前記軟性本体よりも硬い前記構造補強材を内包した、少なくとも１つの排水孔が前記構造補強材によって取り囲まれた前記軟性本体を一体的に形成することと、
前記金型から前記構造補強材を内包した前記軟性本体を取り出すことと、
前記構造補強材に弁シートを連結することと、
を含み、ここで、前記弁シートは、前記構造補強材に連結される複数の連結柱と、前記連結柱の片端に設けられ、前記軟性本体の外側に位置し、且つ前記少なくとも１つの排水孔を移動可能に覆うための可動シートと、を備えるゴーグルマスクの逆止弁装置の製造方法。
【請求項１５】
ただ１つの排水孔が設けられている本体と、
前記本体に連結され、且つ前記ただ１つの排水孔を移動可能に覆うための弁シートと、
を含み、
ここで、前記弁シートは、前記本体に連結され、それらの間に前記ただ１つの排水孔が位置する複数の連結柱と、前記連結柱の片端に設けられ、且つ前記ただ１つの排水孔を移動可能に覆うための可動シートと、を備えるゴーグルマスクの逆止弁装置。
【発明の詳細な説明】
【技術分野】
【０００１】
本発明はゴーグルマスクに関し、特に水中または水上運動に用いるゴーグルマスクに関する。
【背景技術】
【０００２】
従来の水中または水上運動に用いるゴーグルマスクは、通常、排水弁を有し、使用者の不注意でゴーグルマスク内に入る水を排出できるようになっている。この従来の排水弁は、幾つかの排水機構の構造安定性のために、硬質材料により製造する必要があり、且ついずれも独立に製造した後、このゴーグルマスクに個別に装着した。
【０００３】
排水弁が硬質材料であるため、使用者はこのゴーグルマスクを装着している時、排水弁に接触して不快感を感じるおそれがあり、特に、排水弁がちょうど使用者の人中部分にあり、そして、人中部分は顔の各部位において最も敏感で傷つけやすい位置であり、硬質排水弁に少しでも衝突又は圧迫されれば、非常に不快感を感じ、特に、長時間水上または潜水運動をする時、このような状況によって使用者が一層耐えなくなるが、安全性の観点から、耐えて装着し続けなければならなく、直ちにマスクを除去することができないため、いつも激しい痛みをもたらす。また、使用者がゴーグルマスクを収納する時、排水弁が圧縮されにくいため、全体の収納体積が増加し、携帯に不便である。
【０００４】
また、排水弁がこのゴーグルマスクに組み立てられ、つまり、排水弁がこのゴーグルマスクに分離可能に結合される伝統的な製造方法において、排水弁はゴーグルマスクの最も外方へ突出した鼻部に位置する場合が多く、排水弁が使用または収納されている時、外物に衝突又は圧迫されることによってゴーグルマスクから脱離する恐れがあり、このように、使用者への迷惑をかけたり、浸水したりする恐れがある。なお、排水弁とゴーグルマスクとの組立箇所に組立隙間が現れるため、浸水の機会を一層増加する可能性がある。
【０００５】
上述した欠陥を解決するため、例えば、特許文献１のような、様々な排水弁の改善方案が提出されている。この考案では、排水弁と軟質マスクとを一体式構造にして浸水の問題を部分的に解決した。しかしながら、この考案はまだ「排水弁が使用者に衝突して不快感をもたらす」問題を有効に解決できなかった。また、硬質排水弁と軟質マスクは、両方の材料の差異が大きいため、一体的に結合することが困難である。
【０００６】
従来の排水弁は、上述した欠陥に加え、他の欠陥もあり、例えば、排水弁が複数の排水孔を有するため、排水孔間のリブも複数あり、リブの存在によって液体の流動を妨害するため、使用者は空気を吐いて排水する時、大きい力でしか液体を排水弁に通すことができない。
【０００７】
なお、従来の排水弁は、断面形状がいずれも円形であり、ゴーグルマスクの鼻マスク部の断面形状（通常は三角形）にあまり合致しないため、排水弁を鼻マスク部に結合する時、排水弁と鼻マスク部の鼻先との距離が大きくなり、鼻先の液体を排水弁を通してゴーグルマスク外に排出しにくくなってしまう。
【先行技術文献】
【特許文献】
【０００８】
【特許文献１】台湾特許４８３４１６号明細書
【発明の概要】
【発明が解決しようとする課題】
【０００９】
これに鑑みて、上述した欠陥の少なくとも１種又はすべてを改善できるゴーグルマスクを提供することは、業界に差し迫った課題である。
【課題を解決するための手段】
【００１０】
本発明の主な目的は、ゴーグルマスクを装着するときの不快感や収納携帯しにくいこと、気密性がよくないこと等の欠陥を改善するように、ゴーグルマスク、その逆止弁装置及びその逆止弁装置の製造方法を提供する。
【００１１】
上述した目的を達成するために、本発明は、受け部と、前記受け部に設けられる鏡枠部と、前記受け部に設けられる軟性鼻マスク部と、前記軟性鼻マスク部の裏側に設けられる少なくとも１つの逆止弁装置と、を備え、前記逆止弁装置は、前記軟性鼻マスク部に一体的に連結され、前記軟性鼻マスク部の裏側から内方へ延在し、且つ少なくとも１つの排水孔が設けられている軟性本体と、前記軟性本体に連結され、且つ前記少なくとも１つの排水孔を移動可能に覆うための弁シートと、を備えるゴーグルマスクを開示している。
【００１２】
上述した目的を達成するために、本発明は、また、受け部と、前記受け部に設けられる鏡枠部と、前記受け部に設けられる軟性鼻マスク部と、前記軟性鼻マスク部の裏側に設けられる少なくとも１つの逆止弁装置と、を備え、前記逆止弁装置は、前記軟性鼻マスク部に一体的に連結され、前記軟性鼻マスク部の裏側から内方へ延在し、且つ少なくとも１つの排水孔が設けられている軟性本体と、前記軟性本体に被覆され、且つ前記軟性本体よりも硬い構造補強材と、前記構造補強材に連結され、且つ前記少なくとも１つの排水孔を移動可能に覆う弁シートと、をさらに備えるゴーグルマスクを開示している。
【００１３】
上述した目的を達成するために、本発明は、金型のキャビティに環状の構造補強材を位置決めることと、前記構造補強材を被覆するように、前記キャビティに軟性本体の原料を注入し、前記原料を固化させた後、前記軟性本体よりも硬い前記構造補強材を内包した、前記構造補強材によって取り囲まれた少なくとも１つの排水孔を有する前記軟性本体を一体的に形成することと、前記金型から前記構造補強材を内包した前記軟性本体を取り出すことと、前記構造補強材に弁シートを連結することと、を含むゴーグルマスクの逆止弁装置の製造方法を開示している。
【００１４】
上述した目的を達成するために、本発明は、ただ１つの排水孔が設けられている本体と、該本体に連結され、且つ前記ただ１つの排水孔を移動可能に覆うための弁シートとを含むゴーグルマスクの逆止弁装置を開示している。
【００１５】
前記目的、技術特徴、及びメリットをよりわかりやすくするように、以下、好適な実施例および図面に基づいて詳しく説明する。
【図面の簡単な説明】
【００１６】
【図１】本発明のゴーグルマスクの第１の好適な実施例の斜視図である。
【図２】本発明のゴーグルマスクの第１の好適な実施例の断面を含む分解図である。
【図３】本発明のゴーグルマスクの第１の好適な実施例の断面を含む斜視図である。
【図４】本発明のゴーグルマスクの第２の好適な実施例の斜視図である。
【図５】本発明のゴーグルマスクの第３の好適な実施例の模式図である。
【図６】本発明のゴーグルマスクの第３の好適な実施例の模式図である。
【図７】本発明のゴーグルマスクの第３の好適な実施例のもう１つの断面を示す図である。
【図８】本発明のゴーグルマスクの第４の好適な実施例の模式図である。
【図９】本発明のゴーグルマスクの第４の好適な実施例の模式図である。
【図１０】本発明のゴーグルマスクの第５の好適な実施例の模式図である。
【図１１】本発明のゴーグルマスクの第５の好適な実施例を下面から見た模式図（弁シートを省略した）である。
【図１２】本発明のゴーグルマスクの第３〜第５の実施例の軟性本体を製造する金型の模式図である。
【発明を実施するための形態】
【００１７】
図１〜図３は本発明のゴーグルマスクの第１の好適な実施例を示す。このゴーグルマスク１は、水や他の物体が使用者の眼および鼻に直接接触しないように保護し、且つ使用者が周りの環境をはっきり見えるように、使用者が水中または水上活動する時に装着されるためのものである。
【００１８】
このゴーグルマスク１は、受け部１１と、鏡枠部１２と、軟性鼻マスク部１３と、逆止弁装置１４とを備え、以下、各要素の技術内容を順次に説明する。
【００１９】
受け部１１はシート状の部材から構成され、且つその形状が人の顔の輪郭に対応してよい。このため、使用者がゴーグルマスク１を装着している時、水が受け部１１と顔との間を通しにくいように、受け部１１が人の顔に継ぎ目なく（ｓｅａｍｌｅｓｓｌｙ）密着することができる。また、受け部１１は軟性材料から製造されてよいため、受け部１１は顔に接触する時、顔の輪郭に応じて変形できることによって、顔にさらに継ぎ目なく密着する。
【００２０】
受け部１１の軟性材料は熱可塑性ゴム（Ｔｈｅｒｍｏｐｌａｓｔｉｃ  Ｒｕｂｂｅｒ，ＴＰＲ）、熱可塑性ポリウレタン（Ｔｈｅｒｍｏｐｌａｓｔｉｃ  Ｐｏｌｙｕｒｅｔｈａｎｅ，ＴＰＵ）、熱可塑性エラストマー（Ｔｈｅｒｍｏｐｌａｓｔｉｃ  Ｅｌａｓｔｏｍｅｒ，ＴＰＥ）、ポリ塩化ビニル（Ｐｏｌｙｖｉｎｙｌ  Ｃｈｌｏｒｉｄｅ，ＰＶＣ）、シリコン（Ｓｉｌｉｃｏｎｅ）、ゴム（Ｒｕｂｂｅｒ）又はそれらの組合せ等でよく、且つ受け部１１の硬さは１５〜９５ＨＳ（ｓｈｏｒｅ  ｈａｒｄｎｅｓｓ）でよい。
【００２１】
鏡枠部１２は受け部１１上に設けられ、且つ２枚のレンズ１２１を備えてよい。各レンズ１２１は、使用者が２枚のレンズ１２１を通して周りの物体を見るように、それぞれ硬質且つ透明な材料により製造されてよい。
【００２２】
軟性鼻マスク部１３は受け部１１上に設けられ、且つシート状の構造から構成されてもよい。また、軟性鼻マスク部１３と受け部１１は、両者の連結箇所が継ぎ目なく、水が浸入できないように、一体的に連結され、つまり両者が一体的に成形されたり、相互に接着されたり、熔接されたり、射出成形等の方式によって連結されてよい。
【００２３】
軟性鼻マスク部１３の形状は顔の鼻の形状に対応するため、使用者がゴーグルマスク１を装着している時、鼻を軟性鼻マスク部１３に収納できる。軟性鼻マスク部１３の材料は熱可塑性ゴム、熱可塑性ポリウレタン、熱可塑性エラストマー、ポリ塩化ビニル、シリコン、ゴム又はそれらの組合せ等でよく、且つ軟性鼻マスク部１３の硬さは１５〜９５ＨＳ（ｓｈｏｒｅ  ｈａｒｄｎｅｓｓ）でよい。
【００２４】
逆止弁装置１４は軟性鼻マスク部１３の裏側に設けられ、特に強調すべきは、軟性鼻マスク部１３の裏側は使用者の顔に向かう側であり、つまり、軟性鼻マスク部１３の外側は使用者の顔部に向かわない側である。逆止弁装置１４はその中に水を単方向のみ通過させ、このため、それは軟性鼻マスク部１３の裏側に設けられた時、軟性鼻マスク部１３の裏側の水は逆止弁装置１４を通して軟性鼻マスク部１３の外側に排出できるが、水は逆止弁装置１４を通して軟性鼻マスク部１３の裏側に流入できない。
【００２５】
逆止弁装置１４は軟性本体１４１及び弁シート１４２を備える。軟性本体１４１は軟性鼻マスク部１３と一体的に連結しており、且つ軟性鼻マスク部１３の裏側から内方に向かって延在する。また、軟性本体１４１に少なくとも１つの（本実施例では３つの）排水孔１４１１が設けられ、水が排水孔１４１１を通して軟性鼻マスク部１３の裏側から流出できる。軟性本体１４１の材料は、軟性鼻マスク部１３の材料に類似し、熱可塑性ゴム、熱可塑性ポリウレタン、熱可塑性エラストマー、ポリ塩化ビニル、シリコン、ゴム又はそれらの組合せ等でよく、且つ軟性本体１４１的硬さは１５〜９５ＨＳでよい。
【００２６】
弁シート１４２は軟性本体１４１に連結され、且つ排水孔１４１１を移動可能に覆うためのものである。具体的には、弁シート１４２の一部は水の流動方向により変形または移動でき、水が軟性鼻マスク部１３の裏側から流出しようとする場合、弁シート１４２の一部の構造は水により押されて軟性本体１４１から離れて排水孔１４１１を覆わなくなって、水が順調に流出でき、逆に、水が軟性鼻マスク部１３の裏側に流入しようとする場合、弁シート１４２の一部の構造は水により押されて軟性本体１４１に向かって排水孔１４１１を覆って、水が流入できない。特に強調すべきは、この弁シート１４２は軟性材料により製造されてもよい。
【００２７】
弁シート１４２は様々な組立方式があるが、本実施例の弁シート１４２は連結柱１４２１及び可動シート１４２２を備える。連結柱１４２１は軟性本体１４１に連結されるためのものであり、且つ軟性本体１４１に相対的に移動しない。すなわち、連結柱１４２１は軟性本体１４１の孔１４１３を通してこの孔１４１３に係止される。
【００２８】
可動シート１４２２は連結柱１４２１の片側（下端）に設けられ、且つ軟性本体１４１の外側（使用者の顔部に向かわない側）に位置し、また、可動シート１４２２は排水孔１４１１を移動可能に覆うためのものであり、すなわち、可動シート１４２２は水の流動方向により変形でき、水が軟性鼻マスク部１３の裏側から流出しようとする場合、可動シート１４２２は水により押されて軟性本体１４１から離れて排水孔１４１１を覆わなくなり、逆に、水が軟性鼻マスク部１３の裏側に流入しようとする場合、可動シート１４２２は水により押されて軟性本体１４１に向かって排水孔１４１１を覆うようになる。
【００２９】
また、特に言及すべきは、上述した軟性鼻マスク部１３と軟性本体１４１との一体的な連結とは、軟性鼻マスク部１３と軟性本体１４１との結合箇所の間に隙間がないことを意味し、このため、水が両者の結合箇所を通りにくく、これにより、ゴーグルマスク１の気密性が向上する。
【００３０】
「一体的な連結」を達成するために、少なくとも３種類の方式があり、第１は、ただ１つの金型に軟性鼻マスク部１３および軟性本体１４１を連続的に成形する。第２は、まず軟性本体１４１を成形し、そして軟性鼻マスク部１３を成形するための金型に軟性本体１４１を入れて、金型に軟性鼻マスク部１３を成形するとともに、軟性鼻マスク部１３が軟性本体１４１の周辺を被覆するようにさせる。第２の方式は、射出成形（又は埋入射出という）であり、また、軟性本体１４１および軟性鼻マスク部１３のいずれも軟性材料であるため、軟性鼻マスク部１３が軟性本体１４１をよく被覆することができる。第３は、まず軟性本体１４１および軟性鼻マスク部１３をそれぞれ成形させた後、両者を接合させるとともに、両者の接合箇所を接着または熔融する。
【００３１】
第２又は第３の方式を用いる場合、軟性本体１４１と軟性鼻マスク部１３は、軟性本体１４１が軟性鼻マスク部１３よりも硬くなるように、異なる軟性材料を用いて製造されてよい。
【００３２】
以上、ゴーグルマスク１を説明したが、ゴーグルマスク１の特徴は以下のとおりである。
１．軟性本体１４１および軟性鼻マスク部１３のいずれも軟性材料により製造されるため、使用者の鼻または顔部が軟性本体１４１又は軟性鼻マスク部１３に接触した時、両者が圧縮されて変形しやすく、これにより、使用者が圧迫による不快感を感じなく、つまり、ゴーグルマスク１は硬質の物体により使用者の顔部、特に人中を圧迫することがない。
２．ゴーグルマスク１は収納または携帯される時、軟性鼻マスク部１３および軟性本体１４１が圧縮されやすく、これにより、占有スペースを低減できる。
３．軟性本体１４１と軟性鼻マスク部１３が一体的に連結され、水が軟性本体１４１と軟性鼻マスク部１３との結合箇所の間からゴーグルマスク１に流入しにくく、これにより、ゴーグルマスク１の気密性が向上する。
４．軟性本体１４１と軟性鼻マスク部１３が一体的に連結されるため、軟性本体１４１はぶつかり等の衝撃により軟性鼻マスク部１３から脱離しにくく、これにより、使用安全性が向上する。
５．軟性本体１４１および軟性鼻マスク部１３の硬さは１５〜９５ＨＳの間にあり、このような範囲の硬さは構造の強度と使用者の装着快適度を両立できる。
６．軟性本体１４１はゴーグルマスク１の内外の圧力を平衡する機能をさらに持つため、ゴーグルマスク１内の圧力を安定に保持できる。
７．軟性本体１４１と軟性鼻マスク部１３の材料は類似であり、このため、両者が結合しやすく、製造コストを有効に低減でき、歩留まり等を向上できる。
【００３３】
図４は本発明のゴーグルマスク第２の好適な実施例を示す。第１の実施例と異なるのは、このゴーグルマスク２の鏡枠部１２がレンズ１２２を備えることにある。レンズ１２２の寸法（幅）は図１に示すレンズ１２１よりも大きく、且つ軟性鼻マスク部１３の上方に横たわっているため、使用者の可視範囲を向上できる。本実施例のゴーグルマスク２と前記実施例との類似部分はここで再度述べない。
【００３４】
図５及び図６は本発明のゴーグルマスクの第３の好適な実施例を示す模式図である。前述した両実施例と異なるのは、本実施例のゴーグルマスク３の逆止弁装置１４は、軟性本体１４１および弁シート１４２に加え、構造補強材１４３をさらに備えることにある。
【００３５】
構造補強材１４３は軟性本体１４１の構造強度を向上させるためのものであり、このため、構造補強材１４３の材料の硬さは軟性本体１４１よりも硬い必要がある。構造補強材１４３の硬さはＨＳ４０〜１００でよく、構造補強材１４３はポリカーボネート（Ｐｏｌｙｃａｒｂｏｎａｔｅ，ＰＣ）、アクリロニトリルブタジエンスチレン（Ａｃｒｙｌｏｎｉｔｒｉｌｅ  Ｂｕｔａｄｉｅｎｅ  Ｓｔｙｒｅｎｅ，ＡＢＳ）等の材料を選択して製造できる。
【００３６】
構造補強材１４３は軟性本体１４１により被覆され、具体的には、構造補強材１４３の周辺は軟性本体１４１によりしっかり被覆されてよいが、構造補強材１４３の頂面または底面は軟性本体１４１により被覆されてもよく、被覆されなくてもよい。本実施例において、構造補強材１４３の頂面部分は軟性本体１４１に露出している。また、軟性本体１４１の排水孔１４１１と干渉しないように、構造補強材１４３は環状構造（円環に限られない）でよく、そして、少なくとも１つの排水孔１４１１は環状の構造補強材１４３によって取り囲まれ、その他の排水孔１４１１が位置する。
【００３７】
逆止弁装置１４の弁シート１４２は構造補強材１４３に連結され、具体的には、弁シート１４２の連結柱１４２１は構造補強材１４３に連結され、構造補強材１４３の孔１４３１を通して孔１４３１に係止されてよい。可動シート１４２２は構造補強材１４３の外側に位置する。
【００３８】
このように、本実施例の逆止弁装置１４は不注意に使用者によって押さえつけられた時、構造補強材１４３が硬いため曲がって変形しにくく、このため、軟性本体１４１も曲がって変形しにくい。つまり、軟性本体１４１が過度の変形により弁シート１４２から分離せず、弁シート１４２は排水孔１４１１を有効に覆って水が軟性鼻マスク部１３内に浸入しないようにできる。また、構造補強材１４３が軟性本体１４１に被覆されているため、使用者が本実施例のゴーグルマスク３を装着した時、硬い構造補強材１４３に直接接触しにくく、不快感を感じにくい。
【００３９】
図７を参照すると、使用者が構造補強材１４３に確実にぶつからないようにするため、使用者が装着しない時の構造補強材１４３と受け部１１との間の最小距離Ｄは１１ｍｍ〜２５ｍｍ（好ましくは１２ｍｍ以上）である。このように、使用者がゴーグルマスク３を装着した時、受け部１１が圧縮されても、構造補強材１４３と受け部１１との間に６ｍｍ〜２２ｍｍの距離を保持でき、使用者が構造補強材１４３にぶつからないようにできる。
【００４０】
再び図５及び図６を参照し、特に言及すべきは、本実施例の軟性本体１４１の断面形状は非円形で、軟性鼻マスク部１３に対応する断面形状であり、このため、軟性本体１４１が軟性鼻マスク部１３の鼻先に比較的に近接でき、その排水孔１４１１も軟性鼻マスク部１３の鼻先に近接できる。このように、軟性鼻マスク部１３の鼻先の液体は容易に排水孔１４１１を通してゴーグルマスク３外に排出できる。
【００４１】
図８及び図９は本発明のゴーグルマスクの第４の好適な実施例を示す模式図である。第３の実施例のゴーグルマスク３と異なるのは、本実施例のゴーグルマスク４の逆止弁装置１４の弁シート１４２はともに構造補強材１４３の孔１４３１に連結されている２つの連結柱１４２１を備えることにある。このように、弁シート１４２と構造補強材１４３との連結箇所が増加し、弁シート１４２がさらに軟性本体１４１から分離しにくくなる。
【００４２】
図１０及び図１１は本発明のゴーグルマスクの第５の好適な実施例を示す模式図である。第４の実施例に類似し、第５の実施例のゴーグルマスク５の逆止弁装置１４は同様に軟性本体１４１、構造補強材１４３および弁シート１４２を備え、軟性本体１４１の断面形状も非円形で軟性鼻マスク部１３に対応する断面形状である。
【００４３】
第４の実施例と異なるのは、軟性本体１４１はただ１つの排水孔１４１２のみを有し、排水孔１４１２にリブ等の構造を有しないため、排水孔１４１２が大きい開口面積を有することにある。これにより、液体が排水孔１４１２を通す抵抗が小さいため、使用者は小さい呼気力で軟性鼻マスク部１３内の液体を排出できるようになる。また、複数の排水孔１４１１に比べ（図５に示す）、ただ１つの排水孔１４１２から排出される液体の流出方向が比較的に集中でき、これにより、液体の排出を速くすることができる。
【００４４】
特に言及すべきは、ただ１つの排水孔１４１２のみを有する技術は本実施例に限られなく、第１の実施例の軟性本体１４１にも適用でき、さらに逆止弁装置の本体が硬質である場合にも応用できる（図示せず）。
【００４５】
次に、上述した第３〜第５の実施例の逆止弁装置１４の製造方法を説明する。図５〜図１１を参照し、この逆止弁装置１４は少なくとも以下の工程により製造できる。まず、環状の構造補強材１４３を成形し、そして、軟性本体１４１を成形するための金型９のキャビティ９１（図１２を参照する）に構造補強材１４３を位置決めし、そして、軟性本体１４１の原料（例えば、ＰＣ、ＡＢＳ等）を構造補強材１４３を被覆するようにキャビティ９１に注入し、軟性本体１４１の原料を固化させた後、構造補強材１４３を内包した軟性本体１４１がキャビティ９１に一体的に形成され、つまり、軟性本体１４１が構造補強材１４３をしっかり被覆し、このとき、軟性本体１４１の少なくとも１つの排水孔１４１１が構造補強材１４３によって取り囲まれ、そして、構造補強材１４３を内包した軟性本体１４１を金型９から取り出し、最後、構造補強材１４３に弁シート１４２を連結する。
【００４６】
特に言及すべきは、金型９は複数のキャビティ９１を有するため、金型９によって複数の構造補強材１４３を内包した軟性本体１４１を同時に成形できる。
【００４７】
特に強調すべきは、上述した第１〜第５の実施例のいずれもただ１つの逆止弁装置１４を例としたが、他の実施例（図示せず）において、ゴーグルマスク１〜５は２つ以上の逆止弁装置１４を同時に備え、排水の効果を向上させる。あるいは、１つの逆止弁装置１４に複数の弁シート１４１が設けられてもよく、これにより、排水の効果を向上させる。すなわち、ゴーグルマスク１〜５は、少なくとも１つの弁シート１４１を有する少なくとも１つの逆止弁装置１４を備える。
【００４８】
また、鏡枠部１２は１枚のレンズ１２２（図４に示すように）又は２枚のレンズ１２１（図１及び図５に示すように）に加え、他の実施例（図示せず）において、３枚、４枚又は４枚以上のレンズをさらに備えてよい。つまり、鏡枠部１２は少なくとも１枚のレンズを含んでよい。
【００４９】
本発明の実施様態及び技術特徴を前記実施例を例として開示したが、これは決して本発明を限定するものではなく、当該分野の技術を熟知しているものであれば、本発明の精神と領域を逸脱しない範囲内で、多様の変更や修正を加えることができる。従って本発明の保護範囲は、特許請求の範囲で指定した内容を基準とする。
【符号の説明】
【００５０】
１、２、３、４、５  ゴーグルマスク
１１  受け部
１２  鏡枠部
１２１、１２２  レンズ
１３  軟性鼻マスク部
１４  逆止弁装置
１４１  軟性本体
１４１１  排水孔
１４１２  排水孔
１４１３  孔
１４２  弁シート
１４２１  連結柱
１４２２  可動シート
１４３  構造補強材
１４３１  孔
９  金型
９１  キャビティ
【図１】
0005281111.tif 000002
【図２】
0005281111.tif 000003
【図３】
0005281111.tif 000004
【図４】
0005281111.tif 000005
【図５】
0005281111.tif 000006
【図６】
0005281111.tif 000007
【図７】
0005281111.tif 000008
【図８】
0005281111.tif 000009
【図９】
0005281111.tif 000010
【図１０】
0005281111.tif 000011
【図１１】
0005281111.tif 000012
【図１２】
0005281111.tif 000013